(57)【要約】【課題】  航空機等に搭載される追尾受信装置において、妨害継続時間を十分に確保させるために、受信機能部と妨害機能部とルックスルー受信を同期させる追尾受信装置を提供することを目的とする。【解決手段】  ルックスルータイミング制御部から出力されたルックスルー周波数に基づいて受信スケジュール作成部が受信スケジュールを変更し、ルックスルートリガにより警戒受信部による到来電波の受信処理を開始させ、ルックスルートリガにより追尾受信部による目標のレーダ波の受信処理を開始させることにより、所定の警戒受信間隔と所定の目標追尾間隔とを同期させたことを特徴する。【選択図】        図２
2009198240.tif 000002
【特許請求の範囲】
【請求項１】
所定の警戒受信間隔で到来電波を受信する受信アンテナ部と、この受信アンテナ部で受信された前記到来電波を受信処理する警戒受信部と、この警戒受信部が受信処理した前記到来電波から目標のレーダ波を検出する警戒信号処理部と、この警戒信号処理部が検出した前記目標のレーダ波に対しての妨害信号を生成する妨害信号処理部と、この妨害信号処理部が生成した妨害信号を変調する妨害信号変調部と、この妨害信号変調部が変調した妨害信号を妨害波として送信する妨害波送信部と、この妨害波送信部からの妨害波を前記目標のレーダ波に送信する送信アンテナ部と、前記目標のレーダ波の周波数やパルス繰り返し周波数の変化に追従し、前記目標のレーダ波の周波数やパルス繰り返し周波数の変化に対応した妨害信号に前記妨害信号処理部が生成する妨害信号を変更させるために前記受信アンテナ部により所定の目標追尾間隔で前記目標のレーダ波の追尾受信処理を行う追尾受信部とを備え、前記送信アンテナ部からの妨害波の送信が停止させている間に前記所定の警戒受信間隔で前記警戒受信部が前記到来電波の受信処理を行い、前記所定の目標追尾間隔で前記追尾受信部が前記目標のレーダ波の受信処理を行う追尾受信装置において、予め想定される前記目標のレーダ波情報である周波数及びパルス繰り返し周波数から前記警戒受信部の受信スケジュールを設定する受信スケジュール作成部と、前記所定の警戒受信間隔内で前記受信スケジュール作成部が作成した受信スケジュールに基づいた前記目標のレーダ波の受信処理を前記警戒受信部に行わせる警戒受信処理部と、前記追尾受信部の受信設定を行い、前記目標のレーダ波の受信処理を前記追尾受信部に行わせる目標追尾処理部と、前記妨害波送信部が妨害波を送信している妨害対象の前記目標のレーダ波情報である周波数及びパルス繰り返し周波数からルックスルータイミング及びルックスルー周波数を決定し、前記受信スケジュール作成部及び前記目標追尾処理部へ出力するルックスルータイミング制御部と、このルックスルータイミング制御部が出力したルックスルー周波数に該当する前記妨害信号処理部からの妨害信号を停止させ、前記ルックスルータイミング制御部が出力したルックスルータイミングに基づいたルックスルートリガを前記警戒受信処理部及び前記目標追尾処理部へ出力する妨害処理部とを備え、前記ルックスルータイミング制御部から出力されたルックスルー周波数に基づいて前記受信スケジュール作成部が受信スケジュールを変更し、前記ルックスルートリガにより前記警戒受信部による前記到来電波の受信処理を開始させ、前記ルックスルートリガにより前記追尾受信部による前記目標のレーダ波の受信処理を開始させることにより、前記所定の警戒受信間隔と前記所定の目標追尾間隔とを同期させたことを特徴する追尾受信装置。
【請求項２】
前記ルックスルートリガは、前記所定の警戒受信間隔又は前記所定の目標追尾間隔のどちらかを基準に前記所定の警戒受信間隔と前記所定の目標追尾間隔とを同期させるものである請求項１に記載の追尾受信装置。
【請求項３】
前記ルックスルートリガは、前記所定の警戒受信間隔及び前記所定の目標追尾間隔のうち、受信間隔が短い方を基準に前記所定の警戒受信間隔と前記所定の目標追尾間隔とを同期させるものである請求項１に記載の追尾受信装置。
【請求項４】
前記警戒受信部及び前記追尾受信部は、前記ルックスルートリガにより同時にそれぞれ受信処理を開始するものである請求項１〜３のいずれかに記載の追尾受信装置。
【発明の詳細な説明】
【技術分野】
【０００１】
この発明は、目標からのレーダ波を受信及び追尾する追尾受信装置に関し、特に、受信機能部の警戒受信用ルックスルーと妨害機能部の目標追尾用ルックスルーを同期させ、妨害継続時間を十分に確保するルックスルー（追尾受信）方法を有するものに関する。
【背景技術】
【０００２】
従来、受信装置及び妨害機能部を有する追尾受信装置には、航空機のレーダ波を目標のレーダ波として探知して妨害する場合、妨害周波数に対して妨害機能部の目標追尾のために妨害を一時停止する。また、受信機能部の警戒受信のために妨害を一時停止するものがある（例えば、特許文献１参照）。
【０００３】
【特許文献１】特開２００１−１６６０３７号公報（第１図）
【発明の開示】
【発明が解決しようとする課題】
【０００４】
しかし、このような追尾受信装置は、妨害機能部の目標追尾や受信機能部の警戒受信のために、それぞれ独自のタイミングで妨害停止を実施することにより、妨害波が停止してしまう時間が多くなる上、妨害継続時間を確保できないという課題があった。
【０００５】
この発明は、上記のような課題を解消するためになされたもので、航空機等に搭載される追尾受信装置において、妨害継続時間を十分に確保させるために、受信機能部と妨害機能部とルックスルー受信を同期させる追尾受信装置を提供することを目的とする。
【課題を解決するための手段】
【０００６】
請求項１の発明に係る追尾受信装置は、所定の警戒受信間隔で到来電波を受信する受信アンテナ部と、この受信アンテナ部で受信された前記到来電波を受信処理する警戒受信部と、この警戒受信部が受信処理した前記到来電波から目標のレーダ波を検出する警戒信号処理部と、この警戒信号処理部が検出した前記目標のレーダ波に対しての妨害信号を生成する妨害信号処理部と、この妨害信号処理部が生成した妨害信号を変調する妨害信号変調部と、この妨害信号変調部が変調した妨害信号を妨害波として送信する妨害波送信部と、この妨害波送信部からの妨害波を前記目標のレーダ波に送信する送信アンテナ部と、前記目標のレーダ波の周波数やパルス繰り返し周波数の変化に追従し、前記目標のレーダ波の周波数やパルス繰り返し周波数の変化に対応した妨害信号に前記妨害信号処理部が生成する妨害信号を変更させるために前記受信アンテナ部により所定の目標追尾間隔で前記目標のレーダ波の追尾受信処理を行う追尾受信部とを備え、前記送信アンテナ部からの妨害波の送信が停止させている間に前記所定の警戒受信間隔で前記警戒受信部が前記到来電波の受信処理を行い、前記所定の目標追尾間隔で前記追尾受信部が前記目標のレーダ波の受信処理を行う追尾受信装置において、予め想定される前記目標のレーダ波情報である周波数及びパルス繰り返し周波数から前記警戒受信部の受信スケジュールを設定する受信スケジュール作成部と、前記所定の警戒受信間隔内で前記受信スケジュール作成部が作成した受信スケジュールに基づいた前記目標のレーダ波の受信処理を前記警戒受信部に行わせる警戒受信処理部と、前記追尾受信部の受信設定を行い、前記目標のレーダ波の受信処理を前記追尾受信部に行わせる目標追尾処理部と、前記妨害波送信部が妨害波を送信している妨害対象の前記目標のレーダ波情報である周波数及びパルス繰り返し周波数からルックスルータイミング及びルックスルー周波数を決定し、前記受信スケジュール作成部及び前記目標追尾処理部へ出力するルックスルータイミング制御部と、このルックスルータイミング制御部が出力したルックスルー周波数に該当する前記妨害信号処理部からの妨害信号を停止させ、前記ルックスルータイミング制御部が出力したルックスルータイミングに基づいたルックスルートリガを前記警戒受信処理部及び前記目標追尾処理部へ出力する妨害処理部とを備え、前記ルックスルータイミング制御部から出力されたルックスルー周波数に基づいて前記受信スケジュール作成部が受信スケジュールを変更し、前記ルックスルートリガにより前記警戒受信部による前記到来電波の受信処理を開始させ、前記ルックスルートリガにより前記追尾受信部による前記目標のレーダ波の受信処理を開始させることにより、前記所定の警戒受信間隔と前記所定の目標追尾間隔とを同期させたことを特徴するものである。
【０００７】
請求項２の発明に係る追尾受信装置は、前記ルックスルートリガが、前記所定の警戒受信間隔又は前記所定の目標追尾間隔のどちらかを基準に前記所定の警戒受信間隔と前記所定の目標追尾間隔とを同期させるものである請求項１に記載のものである。
【０００８】
請求項３の発明に係る追尾受信装置は、前記ルックスルートリガが、前記所定の警戒受信間隔及び前記所定の目標追尾間隔のうち、受信間隔が短い方を基準に前記所定の警戒受信間隔と前記所定の目標追尾間隔とを同期させるものである請求項１に記載のものである。
【０００９】
請求項４の発明に係る追尾受信装置は、前記警戒受信部及び前記追尾受信部が、前記ルックスルートリガにより同時にそれぞれ受信処理を開始するものである請求項１〜３のいずれかに記載のものである。
【発明の効果】
【００１０】
以上のように、請求項１に係る発明によれば、目標のレーダ波を探知して妨害する場合、受信機能部の警戒受信と妨害機能部の目標追尾のためのルックスルー受信を同期させて妨害波が停止する時間を少なくし、継続妨害の分裂を縮小するので、妨害継続時間を十分に確保し、妨害効果の低下を防ぐことが可能である追尾受信装置を得ることができる。
【００１１】
請求項２に係る発明によれば、請求項１の効果に加え、ルックスルータイミング制御部を受信機能部側に配置して、警戒受信間隔を基準に同期ルックスルータイミングを決定すること、又は、ルックスルータイミング制御部を妨害機能部側に配置して、目標追尾間隔を基準に同期ルックスルータイミングを決定することが可能な追尾受信装置を得ることができる。
【００１２】
請求項３に係る発明によれば、請求項１の効果に加え、警戒受信間隔と目標追尾間隔との間隔が異なる場合でも、短い方の間隔を基準に長い方の間隔の処理を開始するので、受信間隔が短い方の追尾（警戒）受信が頻度を多く求められる場合でも、継続妨害の分裂を縮小するので、妨害継続時間を十分に確保し、妨害効果の低下を防ぐことが可能である追尾受信装置を得ることができる。
【００１３】
請求項４に係る発明によれば、請求項１〜３のいずれかの効果に加え、ルックスルートリガにより、警戒受信と目標追尾とを同時に開始するので、妨害波が停止する時間を少なくし、継続妨害の分裂を縮小するので、妨害継続時間を十分に確保し、妨害効果の低下を防ぐことが可能である追尾受信装置を得ることができる。
【発明を実施するための最良の形態】
【００１４】
実施の形態１．
以下、この発明の実施の形態１について図１〜５を用いて説明する。図１は、実施の形態１に係る追尾受信装置の構成図、図１（ａ）は目標と追尾受信装置を搭載した自機の模式図、図１（ｂ）は図１（ａ）に記載の自機搭載の追尾受信装置、図２は、実施の形態１に係る追尾受信装置のルックスルー周波数及びルックスルートリガの流れを示した構成図、図３は、受信スケジュールを目標のレーダ波情報（周波数、パルス繰り返し周波数）から作成する受信スケジュール概念図、図４は、実施の形態１に係る追尾受信装置により変更された受信スケジュール概念図、図５は、警戒受信間隔と目標追尾間隔との関係を示す概念図、図５（ａ）は警戒受信間隔と目標追尾間隔とが非同期の場合の図、図５（ｂ）は警戒受信間隔と目標追尾間隔とが同期の場合の図である。
【００１５】
図１〜５において、１は追尾受信装置の受信機能を実行する受信機能部、１ａは受信機能部１に接続され、所定の警戒受信間隔で到来電波を受信する受信アンテナ部、２は受信機能部１を構成し、受信アンテナ部１ａで受信された到来電波を受信処理する警戒受信部、３は受信機能部１を構成し、
警戒受信部２が受信処理した到来電波から目標のレーダ波を検出する警戒信号処理部、４は追尾受信装置の妨害機能を実行する受信機能部、５は目標のレーダ波の周波数やパルス繰り返し周波数の変化に追従し、目標のレーダ波の周波数やパルス繰り返し周波数の変化に対応した妨害信号を生成させるために受信アンテナ部１ａにより所定の目標追尾間隔で目標のレーダ波の追尾受信処理を行う追尾受信部、６は警戒信号処理部３が検出した目標のレーダ波に対しての妨害信号を生成する妨害信号処理部、７は妨害信号処理部６が生成した妨害信号を変調する妨害信号変調部であり、追尾受信部５により目標のレーダ波の周波数やパルス繰り返し周波数の変化に対応した妨害信号を生成するように制御させるものである。８は妨害信号変調部７が変調した妨害信号を妨害波として送信する妨害波送信部、８ａは妨害波送信部８からの妨害波を目標のレーダ波に送信する送信アンテナ部である。図中、同一符号は、同一又は相当部分を示しそれらについての詳細な説明は省略する。
【００１６】
続いて、９は所定の警戒受信間隔と所定の目標追尾間隔とを同期させる同期処理装置、１０は同期処理装置を構成するルックスルー信号処理装置、３１は警戒信号処理部３を構成し、予め想定される目標のレーダ波情報である周波数及びパルス繰り返し周波数から警戒受信部２の受信スケジュールを設定する受信スケジュール作成部、３２は警戒信号処理部３を構成し、所定の警戒受信間隔内で受信スケジュール作成部３１が作成した受信スケジュールに基づいた目標のレーダ波の受信処理を警戒受信部２に行わせる警戒受信処理部、６１は妨害信号処理部６を構成し、追尾受信部５の受信設定を行い、目標のレーダ波の受信処理を追尾受信部５に行わせる目標追尾処理部、２００，２００ａはルックスルー周波数、２０１，２０１ａはルックスルートリガ、１０１は妨害波送信部８が妨害波を送信している妨害対象の目標のレーダ波情報である周波数及びパルス繰り返し周波数からルックスルータイミング及びルックスルー周波数２００，２００ａを決定し、それぞれを受信スケジュール作成部３１及び目標追尾処理部６１へ出力するルックスルータイミング制御部、６２は妨害信号処理部６を構成し、ルックスルータイミング制御部１０１が出力したルックスルー周波数２００ａに該当する妨害信号処理部６からの妨害信号を停止させ、ルックスルータイミング制御部１０１が出力したルックスルータイミングに基づいたルックスルートリガ２０１，２０１ａをそれぞれ警戒受信処理部３２及び目標追尾処理部６１へ出力する妨害処理部である。
【００１７】
次に動作について説明する。図１に示すように、自機に搭載された追尾受信装置の受信アンテナ部１ａが到来電波を受信して、その到来電波が受信機能部１で目標のレーダ波であると判定すると、妨害機能部４が生成した目標のレーダ波への妨害波を送信アンテナ部８ａから目標のレーダ波に向けて送信して妨害をかける。この一連の動作の詳細を説明すると、まず、図２に示す受信スケジュール作成部３１は、図１の警戒受信部２で目標のレーダ波を受信するための受信スケジュールを目標のレーダ波情報（周波数、パルス繰り返し周波数）から作成する。受信スケジュール概念図を図３に示す。また、ルックスルータイミング制御部１０１からのルックスルー周波数２００に基づいてスケジュールを変更する。ルックスルー受信スケジュール概念図を図４に示す。図３及び図４において、横軸ｔは時間、縦軸Ｆは周波数を指す。図４における周波数掃引は、妨害中に警戒受信をスキップしていた周波数のルックスルータイミングを受信スケジュールに従って決定するため一連の動作となる。警戒受信処理部３２は、受信スケジュール作成部３１で作成された受信スケジュールに従い、図１の警戒受信部２に周波数、時間等の受信設定をする。妨害処理部６２からのルックスルートリガ２０１によって、受信スケジュール作成部３１で変更された受信スケジュールに従い、図１の警戒受信部２に周波数、時間等の受信設定をし、ルックスルー（警戒受信）をする。
【００１８】
目標追尾処理部６１は、受信機能部１の警戒受信で探知した目標のレーダ波を妨害するための追尾を実施する。まず、ルックスルータイミング制御部１０１からのルックスルー周波数２００ａに基づいて当該周波数受信の準備をする。そして、妨害処理部６２からのルックスルートリガ２０１ａによってルックスルー（目標追尾受信）を実施する。妨害処理部６２は、受信機能部１の警戒受信で探知した目標のレーダ波の妨害波による妨害を実施する。また、目標追尾処理部６１からのルックスルー周波数２００ａ該当の妨害を停止し、警戒受信処理部３２と目標追尾処理部６１に対してルックスルートリガ２０１，２０１ａそれぞれを出力する。ルックスルータイミング制御部１０１は、妨害中目標のレーダ波に対して、目標のレーダ波情報（パルス繰り返し周波数）から警戒受信間隔と目標追尾間隔を考慮した同期ルックスルータイミングを決定し、受信スケジュール作成部３１と目標追尾処理部６１に対してルックスルー周波数（妨害中周波数）を出力する。
【００１９】
このように、実施の形態１によれば、統合装置での同期ルックスルータイミングの決定と当該タイミングでの妨害停止後のルックスルートリガ２０１，２０１ａにより、受信機能部１と妨害機能部４でのルックスルー受信を同期させ、妨害停止時間を減少させて十分な妨害継続時間を確保することができる。所定の警戒受信間隔と所定の目標追尾間隔とが同じ長さの間隔（時間）である場合を例に説明すると、図５（ａ）のように、所定の警戒受信間隔と所定の目標追尾間隔とが非同期の場合は、妨害波が停止している間隔がながくなってしまい、目標のレーダ波への妨害の効果が減少してしまう。しかし、ルックスルータイミング制御部１０１から出力されたルックスルー周波数２００に基づいて受信スケジュール作成部３１が受信スケジュールを変更し、ルックスルートリガ２０１により警戒受信部２による到来電波の受信処理を開始させ、ルックスルートリガ２０１ａにより追尾受信部５による目標のレーダ波の受信処理を開始させることにより、図５（ｂ）に示すように、所定の警戒受信間隔と所定の目標追尾間隔とを同期させることができるので、目標のレーダ波への妨害の効果が減少してしまう可能性を最低限までに落すことが可能となる。
【００２０】
実施の形態２．
この発明の実施の形態２について図６を用いて説明する。図６は実施の形態２に係る追尾受信装置のルックスルー周波数及びルックスルートリガの流れを示した構成図であり、図６において、１０２は実施の形態１で説明したルックスルータイミング制御部１０１と同様の構成であるルックスルータイミング制御部である。図中、同一符号は、同一又は相当部分を示しそれらについての詳細な説明は省略する。実施の形態１に係る追尾受信装置では、ルックスルータイミング制御部１０１が受信機能部１及び妨害機能部４とは独立した構成になっていた。これに対して、実施の形態２に係る追尾受信装置では、ルックスルー信号処理装置１０２が受信機能部１とは独立しておらず、警戒信号処理部３に組み込まれている。なお、図１に対応する実施の形態２に係る追尾受信装置の図面は省略する。
【００２１】
図６に示すルックスルーのタイミング制御部１０２は、ルックスルー信号処理装置１０のルックスルーのタイミング制御部１０１に代わって受信機能部１に組み込まれ、妨害中目標に対して、所定の警戒受信間隔により同期ルックスルータイミングを決定し、受信スケジュール作成部３１と目標追尾処理部６１に対してルックスルー周波数（妨害中周波数）を出力する。この場合のルックスルー受信スケジュール概念図は実施の形態１で説明した図４と同じである。このように、実施の形態２によれば、受信機能部１での同期ルックスルータイミングの決定と当該タイミングでの妨害停止後のルックスルートリガにより、受信機能部１と妨妨害機能部４でのルックスルー受信（警戒受信及び目標追尾）を同期させ、妨害停止時間を減少させて十分な妨害継続時間を確保することができる。
【００２２】
実施の形態３．
この発明の実施の形態２について図７及び図８を用いて説明する。図７は実施の形態３に係る追尾受信装置のルックスルー周波数及びルックスルートリガの流れを示した構成図、図８は実施の形態３に係る追尾受信装置により変更された受信スケジュール概念図であり、図７及び図８において、１０３は実施の形態１で説明したルックスルータイミング制御部１０１と同様の構成であるルックスルータイミング制御部である。図中、同一符号は、同一又は相当部分を示しそれらについての詳細な説明は省略する。実施の形態１に係る追尾受信装置では、ルックスルータイミング制御部１０１が受信機能部１及び妨害機能部４とは独立した構成になっていた。これに対して、実施の形態３に係る追尾受信装置では、ルックスルー信号処理装置１０２が妨害機能部４とは独立しておらず、妨害信号処理部６に組み込まれている。なお、図１に対応する実施の形態３に係る追尾受信装置の図面は省略する。
【００２３】
図７に示すルックスルーのタイミング制御部１０３は、ルックスルー信号処理装置１０のルックスルーのタイミング制御部１０１に代わって妨害機能部４に組み込まれ、妨害中目標に対して、所定の警戒受信間隔により同期ルックスルータイミングを決定し、受信スケジュール作成部３１と目標追尾処理部６１に対してルックスルー周波数（妨害中周波数）を出力する。この場合のルックスルー受信スケジュール概念図は図８である。図８における周波数掃引は、ルックスルータイミングを目標追尾間隔に従って決定するため警戒受信スケジュールに割り込んだ動作となる。このように、実施の形態３によれば、妨害機能部４での同期ルックスルータイミングの決定と当該タイミングでの妨害停止後のルックスルートリガにより、受信機能部１と妨妨害機能部４でのルックスルー受信（警戒受信及び目標追尾）を同期させ、妨害停止時間を減少させて十分な妨害継続時間を確保することができる。
【００２４】
以上、実施の形態２及び３に係る追尾受信装置では、ルックスルータイミング制御部１０２、１０３が受信機能部１及び妨害機能部４とは独立した構成を採らずに、受信機能部１又は妨害機能部４に組み込んでいる。したがって、実施の形態２に係る追尾受信装置では、ルックスルータイミング制御部１０２が受信機能部１に組み込まれているので、ルックスルートリガ２０１，２０１ａにより所定の警戒受信間隔を基準に所定の警戒受信間隔と所定の目標追尾間隔とを同期させることができる。同様に、実施の形態３に係る追尾受信装置では、ルックスルータイミング制御部１０３が妨害機能部４に組み込まれているので、ルックスルートリガ２０１，２０１ａにより所定の目標追尾間隔を基準に所定の警戒受信間隔と所定の目標追尾間隔とを同期させることができる。
【００２５】
実施の形態１〜３に係る追尾受信装置では、警戒受信間隔と目標追尾間隔とが同じ間隔である場合を用いて説明してきたが、警戒受信間隔と目標追尾間隔との間隔が異なる場合でも、実施の形態１〜３に係る追尾受信装置は運用することができる。仮に、警戒受信間隔が目標追尾間隔よりも長い場合は、ルックスルートリガ２０１，２０１ａにより警戒受信間隔に目標追尾間隔を包含させて警戒受信間隔と目標追尾間隔とを同期させてもよいし、目標追尾間隔が警戒受信間隔よりも長い場合は、ルックスルートリガ２０１，２０１ａにより目標追尾間隔に警戒受信間隔を包含させて警戒受信間隔と目標追尾間隔とを同期させてもよい。このように、警戒受信間隔と目標追尾間隔との間隔が異なる場合でも、長い方の間隔内に短い方の間隔の処理を行えば、妨害波が停止する時間を少なくし、継続妨害の分裂を縮小するので、妨害継続時間を十分に確保し、妨害効果の低下を防ぐことが可能である追尾受信装置を得ることができる。
【００２６】
また、追尾受信装置に受信間隔が短い方の追尾（警戒）受信の頻度を多く求められたとき、つまり、受信間隔が短い方の追尾（警戒）受信回数が多く求められるときは、以下のように、警戒受信間隔が目標追尾間隔よりも長い場合は、ルックスルートリガ２０１，２０１ａにより目標追尾間隔を基準に警戒受信間隔と目標追尾間隔とを同期させるとよいし、目標追尾間隔が警戒受信間隔よりも長い場合は、ルックスルートリガ２０１，２０１ａにより警戒受信間隔を基準に警戒受信間隔と目標追尾間隔とを同期させるとよい。このように、警戒受信間隔と目標追尾間隔との間隔が異なる場合でも、継続妨害の分裂を縮小するので、妨害継続時間を十分に確保し、妨害効果の低下を防ぐことが可能である追尾受信装置を得ることができる。
【００２７】
さらに、追尾受信装置をルックスルートリガ２００，２００ａにより警戒受信部２及び追尾受信部５が、同時にそれぞれ受信処理を開始する構成にすれば、自ずと警戒受信間隔及び目標追尾間隔のうち、受信間隔が短い方を受信間隔が長い方に包含させることになるし、受信間隔が短い方の追尾（警戒）受信を基準に警戒受信間隔及び目標追尾間隔を同期させることにもなるので、警戒受信間隔と目標追尾間隔との間隔が異なる場合でも、妨害波が停止する時間を少なくし、継続妨害の分裂を縮小するので、妨害継続時間を十分に確保し、妨害効果の低下を防ぐことが可能である追尾受信装置を得ることができる。なお、実施の形態１〜３で説明してきたように、警戒受信間隔と目標追尾間隔とが同じ間隔である場合でも、追尾受信装置をルックスルートリガ２００，２００ａにより警戒受信部２及び追尾受信部５が、同時にそれぞれ受信処理を開始する構成にしてもよい。
【図面の簡単な説明】
【００２８】
【図１】この発明の実施の形態１に係る追尾受信装置の構成図である。
【図２】この発明の実施の形態に係る追尾受信装置のルックスルー周波数及びルックスルートリガの流れを示した構成図である。
【図３】この発明に係る受信スケジュールを目標のレーダ波情報（周波数、パルス繰り返し周波数）から作成する受信スケジュール概念図である。
【図４】この発明の実施の形態１に係る追尾受信装置により変更された受信スケジュール概念図である。
【図５】この発明の実施に係る警戒受信間隔と目標追尾間隔との関係を示す概念図である。
【図６】この発明の実施の形態２に係る追尾受信装置のルックスルー周波数及びルックスルートリガの流れを示した構成図である。
【図７】この発明の実施の形態３に係る追尾受信装置のルックスルー周波数及びルックスルートリガの流れを示した構成図である。
【図８】この発明の実施の形態３に係る追尾受信装置により変更された受信スケジュール概念図である。
【符号の説明】
【００２９】
１…受信機能部、１ａ…受信アンテナ部、２…警戒受信部、３…警戒信号処理部、
４…妨害機能部、５…追尾受信部、６…妨害信号処理部、７…妨害信号変調部、
８…妨害波送信部、８ａ…送信アンテナ部、９…同期処理装置、
１０…ルックスルー信号処理装置、３１…受信スケジュール作成部、
３２…警戒受信処理部、６１…目標追尾処理部、６２…妨害処理部、
１０１、１０２、１０３…ルックスルータイミング制御部、
２００、２００ａ…ルックスルー周波数、２０１、２０１ａ…ルックスルートリガ。
【図１】
2009198240.tif 000003
【図２】
2009198240.tif 000004
【図３】
2009198240.tif 000005
【図４】
2009198240.tif 000006
【図５】
2009198240.tif 000007
【図６】
2009198240.tif 000008
【図７】
2009198240.tif 000009
【図８】
2009198240.tif 000010